(57)【特許請求の範囲】
【請求項１】
第１方向及び第１方向と逆である第２方向に光を伝搬する主光ファイバに曲げ部を１つ形成し、前記曲げ部を介して光を入出力する光ファイバ側方入出力装置であって、
前記曲げ部に断面が近接され、前記曲げ部から漏洩する前記主光ファイバの第１方向の光を捕捉し、前記曲げ部から前記主光ファイバの第２方向に光を入射する第１ファイバプローブと、
前記曲げ部に断面が近接され、前記曲げ部から漏洩する前記主光ファイバの第２方向の光を捕捉し、前記曲げ部から前記主光ファイバの第１方向に光を入射する第２ファイバプローブと、
を備えることを特徴とする光ファイバ側方入出力装置。
【請求項２】
前記主光ファイバの前記曲げ部において、前記第１ファイバプローブの断面が前記第２ファイバプローブの断面より第１方向の光の送信側に配置されることを特徴とする請求項１に記載の光ファイバ側方入出力装置。
【請求項３】
第１方向及び第１方向と逆である第２方向に光を伝搬する主光ファイバに第１曲げ部及び第２曲げ部を形成し、前記第１曲げ部及び前記第２曲げ部を介して光を入出力する光ファイバ側方入出力装置であって、
前記第１曲げ部と前記第２曲げ部との中心間距離が５０ｍｍより短く、
前記第１曲げ部に断面が近接され、前記第１曲げ部から漏洩する前記主光ファイバの第１方向の光を捕捉し、前記第１曲げ部から前記主光ファイバの第２方向に光を入射する第１ファイバプローブと、
前記第２曲げ部に断面が近接され、前記第２曲げ部から漏洩する前記主光ファイバの第２方向の光を捕捉し、前記第２曲げ部から前記主光ファイバの第１方向に光を入射する第２ファイバプローブと、
を備え、
前記主光ファイバにおいて、前記第１曲げ部が前記第２曲げ部より第１方向の光の送信側に配置されることを特徴とする光ファイバ側方入出力装置。
【請求項４】
前記主光ファイバを伝搬する光の方向に対して、前記第１曲げ部の曲げ方向が前記第２曲げ部の曲げ方向と逆であることを特徴とする請求項３に記載の光ファイバ側方入出力装置。
【請求項５】
前記断面を介さずに、前記第１ファイバプローブから前記第２ファイバプローブへ、又は前記第２ファイバプローブから前記第１ファイバプローブへの経路を提供する中継機をさらに備えることを特徴とする請求項１から４のいずれかに記載の光ファイバ側方入出力装置。
【発明の詳細な説明】
【技術分野】
【０００１】
本発明は、光ファイバの側方から光を入出力して通信線路へ光信号を入出力する技術に関する。
【背景技術】
【０００２】
光ファイバ側方入出力技術は、現用の光ファイバの任意の点に曲げを与え、その曲げ部に側面から別の光ファイバ(ファイバプローブ)を突き当て、光信号を入出力させる技術であり、通信状態を維持しながら伝送路変更を実現する無瞬断切替への適用が検討されている（例えば、非特許文献１を参照。）。
【先行技術文献】
【非特許文献】
【０００３】
【非特許文献１】井上ほか「光媒体切替工事の無瞬断化に向けた工法検証」信学技報、  ｖｏｌ．１１４、ｎｏ．４５２、ＯＦＴ２０１４−７０、ｐｐ．７１−７６、２０１５年２月
【非特許文献２】清倉ほか「ローカル光入出力技術のための小径曲げ光ファイバの放射シミュレーション−光線路切替の結合効率検討−」信学会ソサイエティ大会Ｂ−１０−０１６、２０１３年９月
【発明の概要】
【発明が解決しようとする課題】
【０００４】
しかしながら、従来の光ファイバ側方入出力装置は、光ファイバに付与する１つの曲げに対し、１つのプローブを突き当てて光入出力を行う構成である（例えば、非特許文献２を参照。）。このため、従来の光ファイバ側方入出力装置を非特許文献１のような伝送路の無瞬断切替に適用しようとしても、光ファイバを流れる通信光（ＯＬＴ側との通信用光信号，ＯＮＵ側との通信用光信号）のうち、いずれか一方の光信号しか入出力することができない。さらに、非特許文献１のような伝送路の無瞬断切替においては、ＯＬＴとＯＮＵ間の通信光を合分岐させるための入出力装置のほかに、二重化光線路の遅延差計測用試験光の入射及び光強度測定のための入出力装置が必要となる。このため、光ファイバ側方入出力装置を用いて伝送路の無瞬断切替を行おうとすれば、多くの光ファイバ側方入出力装置が必要となり、結果としてトータルの光損失量が許容値に収まらないという課題があった。
【０００５】
そこで、本発明は、上記課題を解決すべく、単独で複数の光信号の入出力が可能な光ファイバ側方入出力装置を提供することを目的とする。
【課題を解決するための手段】
【０００６】
本発明に係る光ファイバ側方入出力装置は、主光ファイバに付与する曲げに対し、複数のファイバプローブの断面を突き当て、それぞれのファイバプローブで上り光信号および下り光信号の双方向の光入出力を行うこととした。
【０００７】
具体的には、本発明に係る光ファイバ側方入出力装置は、
第１方向及び第１方向と逆である第２方向に光を伝搬する主光ファイバに曲げ部を形成し、前記曲げ部を介して光を入出力する光ファイバ側方入出力装置であって、
前記曲げ部に断面が近接され、前記曲げ部から漏洩する前記主光ファイバの第１方向の光を捕捉し、前記曲げ部から前記主光ファイバの第２方向に光を入射する第１ファイバプローブと、
前記曲げ部に断面が近接され、前記曲げ部から漏洩する前記主光ファイバの第２方向の光を捕捉し、前記曲げ部から前記主光ファイバの第１方向に光を入射する第２ファイバプローブと、
を備えることを特徴とする。
【０００８】
本光ファイバ側方入出力装置は、主光ファイバに曲げ部を１つ形成し、ファイバプローブの先端を異なる方向から前記曲げ部に近接させている。例えば、第１方向の光をＯＮＵからの上り光信号とし、第２方向の光をＯＬＴからの下り光信号とすれば、本光ファイバ側方入出力装置は、第１ファイバプローブでＯＮＵ側へ光を入出力でき、第２ファイバプローブでＯＬＴ側へ光を入出力できる。従って、本発明は、単独で複数の光信号の入出力が可能な光ファイバ側方入出力装置を提供することができる。
【０００９】
さらに、１つの曲げ部に対し１つのファイバプローブを突き当てる非特許文献２の構成であると上り光用及び下り光用で曲げ部を２つ形成しなければならないが、本光ファイバ側方入出力装置は、曲げ部が１つであり、非特許文献２の構成と比べ、光損失を半減させられるという格別の効果を奏する。
【００１０】
本発明に係る光ファイバ側方入出力装置は、前記主光ファイバの前記曲げ部において、前記第１ファイバプローブの断面が前記第２ファイバプローブの断面より第１方向の光の送信側に配置されることを特徴とする。主光ファイバの曲げ部から放射される漏洩光は、複数の放射光束となって放射される特性（第１放射光束、第２放射光束、・・）がある。このうち、第１放射光束が最も光強度が強い。第１ファイバプローブ及び第２ファイバプローブを上述のように配置することで、それぞれ第１放射光束を捕捉することができる。
【００１１】
また、本発明に係る他の光ファイバ側方入出力装置は、第１方向及び第１方向と逆である第２方向に光を伝搬する主光ファイバに第１曲げ部及び第２曲げ部を形成し、前記第１曲げ部及び前記第２曲げ部を介して光を入出力する光ファイバ側方入出力装置であって、
前記第１曲げ部と前記第２曲げ部との中心間距離が５０ｍｍより短く、
前記第１曲げ部に断面が近接され、前記第１曲げ部から漏洩する前記主光ファイバの第１方向の光を捕捉し、前記第１曲げ部から前記主光ファイバの第２方向に光を入射する第１ファイバプローブと、
前記第２曲げ部に断面が近接され、前記第２曲げ部から漏洩する前記主光ファイバの第２方向の光を捕捉し、前記第２曲げ部から前記主光ファイバの第１方向に光を入射する第２ファイバプローブと、
を備えることを特徴とする。
【００１２】
本光ファイバ側方入出力装置は、主光ファイバに曲げ部を２つ形成し、それぞれの曲げ部にファイバプローブの先端を近接させている。例えば、第１方向の光をＯＮＵからの上り光信号とし、第２方向の光をＯＬＴからの下り光信号とする。ファイバプローブの近接方向を調節することで、本光ファイバ側方入出力装置は、第１ファイバプローブでＯＮＵ側へ光を入出力でき、第１ファイバプローブでＯＬＴ側へ光を入出力できる。従って、本発明は、単独で複数の光信号の入出力が可能な光ファイバ側方入出力装置を提供することができる。
【００１３】
本発明に係る光ファイバ側方入出力装置は、前記主光ファイバにおいて、前記第１曲げ部が前記第２曲げ部より第１方向の光の送信側に配置されることを特徴とする。このように配置することで、ファイバプローブからファイバプローブへ直接に光が入出射されないため光検出器が飽和して通信が途絶することを回避できる。
【００１４】
本発明に係る光ファイバ側方入出力装置は、前記主光ファイバを伝搬する光の方向に対して、前記第１曲げ部の曲げ方向が前記第２曲げ部の曲げ方向と逆であることを特徴とする。通常、主光ファイバは直線的に施設される。曲げ部を形成した時に主光ファイバがＵ字型になれば、他の部分を曲げる必要や余長が必要となる。２つの曲げ部で主光ファイバをＳ字にすることで、曲げ部以外の部分を曲げる必要が無くなり、余長も少なくて済む。
【００１５】
本発明に係る光ファイバ側方入出力装置は、前記断面を介さずに、前記第１ファイバプローブから前記第２ファイバプローブへ、又は前記第２ファイバプローブから前記第１ファイバプローブへの経路を提供する中継機をさらに備えることを特徴とする。ファイバプローブの配置によっては、ファイバプローブ間の光の結合ができないこともある。このような場合でも中継機を用いてファイバプローブ間の通信を確保することができる。
【発明の効果】
【００１６】
本発明は、単独で複数の光信号の入出力が可能な光ファイバ側方入出力装置を提供することができる。
【図面の簡単な説明】
【００１７】
【図１】光通信システムにおける無瞬断切替を説明する図である。光カプラを２箇所に必要とする。
【図２】典型的な光カプラを説明する図である。現用線路を一度切断して割り入れて使用する。
【図３】光ファイバの側方光入出力光学系を説明する図である。ＯＮＵからの上り光をファイバプローブで取得し、ＯＬＴからの下り光をファイバプローブ経由で曲げファイバへ側方入力する。
【図４】本発明に係る光ファイバ側方入出力装置を説明する図である。１つの曲げ部にファイバプローブをＶ字型に２本突き当てる。
【図５】本発明に係る光ファイバ側方入出力装置を説明する図である。
【図６】本発明に係る光ファイバ側方入出力装置を説明する図である。
【図７】本発明に係る光ファイバ側方入出力装置を説明する図である。
【図８】本発明に係る光ファイバ側方入出力装置を説明する図である。
【図９】本発明に係る光ファイバ側方入出力装置を説明する図である。
【発明を実施するための形態】
【００１８】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００１９】
（関連技術）
本発明の実施形態を説明する前に本発明に関連する技術を説明する。
通信経路を二重化しておいて片方の通信経路の通信に異常が起きた場合においても、もう一方の通信経路でサービスを利用することができ、通信ネットワークの高信頼化を実現する方法が無瞬断切替技術として知られている。図１は、現在提案されている無瞬断切替が適用可能な回線の図である（非特許文献１）。図１のように、通信線路上にＯＬＴ側とＯＮＵ側の２種類の光カプラを必要とする。ＯＬＴ側は電話局内の光統合配線架（ＩＤＭ）にある光カプラを利用する。しかし、ＯＮＵ側の光カプラは現在の光アクセスネットワークには存在しないため、新たな工事が必要となる。よって、新規開通の際に工事するか、予めユーザの許可を得て通信を停止して取り付け工事を行う必要がある。
【００２０】
図２は、これは典型的な光カプラを説明する図である。図１の無瞬断切替工法では、現用光線路のＯＬＴ（入出力端子１）からＯＮＵ（入出力端子３）間に割り入れされている。入出力端子１と入出力端子３および４、入出力端子２と入出力端子３および４、入出力端子３と入出力端子１および２、入出力端子４と入出力端子１および２間で、それぞれ通信光を入出力できる。無瞬断切替工法では、通信光のモニタリング、線路長差の測定等にこのカプラの使用が必須となっている。
【００２１】
図２の光カプラを現用線路で利用しようとする場合は、現用線路に割り入れる必要があった。光カプラは現用線路の心線数分必要であり、すべての心線に設置することは非常な高コストとなっていた。
【００２２】
さらに、設置工事に際しては現用線路を切断する必要があり、通信を途絶せざるを得ない。そのためユーザへ工事期間の通信途絶の承諾をもらう必要があり、なかなか承諾を得られない場合も多かった。また、承諾を得たとしても工事の時間帯を深夜に指定されて労務費が上昇する場合があった。さらに複数のユーザで工事の指定時間が異なっている場合は何回にも分けて工事をしなければならないなど、工事担当者の負担となっていた。
【００２３】
このため、光ファイバを切断せずに一時的に光を入出力可能な側方光入出力技術が注目されている。図３は、光ファイバの側方光入出力光学系を説明する図である。光ファイバを曲げると曲げ部から漏洩光が放射されることが知られている。また、この漏洩光の経路を逆にすれば、光ファイバの曲げ部に対して外部から光を入射することもできる。図３（Ａ）に概念図を示す。ＯＮＵからの上り光をファイバプローブで取得し、ＯＬＴからの下り光をファイバプローブ経由で曲げファイバへ側方入力する。
【００２４】
ファイバプローブとして、先端に屈折率分布型レンズを設置したシングルモードファイバを用いて通信光を入出力することもある（非特許文献２）。この光学系について光線追跡計算による光線分布を図３（Ｂ）に示す。側方出力の場合においてファイバ曲げ部から放射される光がファイバプローブ先端のレンズ部を経由してシングルモードファイバのコアへ集光されて結合しシングルモードファイバ経由で出力されている。また、シングルモードファイバ経由で到達した光がレンズを経由してファイバ曲げ部へ集光されて、曲げファイバのコアへ結合している状況が示されている。
【００２５】
ファイバ曲げ部からの漏れ光がファイバプローブへ結合する効率は非常に低く（通信光の１％程度）得られる光は−３０ｄＢｍ程度となり、検出するには高感度のアバランシェフォトダイオードが必要である。また、曲げファイバへ入射する際の結合効率も低いため（１％程度）光ファイバアンプ等で増幅した＋２０ｄＢｍ程度の強い光でファイバ曲げ部へ入射する必要がある。
【００２６】
この側方光入出力技術は現用の光ファイバを切断せずにファイバ被覆を経由して通信光を入出力できることが最大の利点である。つまり、図３で説明した側方光入出力技術を利用して、図２のような光カプラを構成することができれば、新たな工事を必要とせずに、一時的に線路上に光カプラを設置することができ、現状光カプラが入っていない回線でも無瞬断切替工事を行うことができる。また、回線新設の際にあらかじめ設置する必要もなく、コストを抑えることができる。
【００２７】
（実施形態１）
そこで、本実施形態は、２×２カプラと同等な機能を有する構造として、図３の側方光入出力技術を利用し、Ｖ字型の現用ファイバ曲げ部にファイバプローブを２つ近接させた構造とした。
【００２８】
図４は、本実施形態の光ファイバ側方入出力装置３０１を説明する図である。光ファイバ側方入出力装置３０１は、第１方向（上り方向）及び第１方向と逆である第２方向（下り方向）に光を伝搬する主光ファイバ１００に曲げ部１５０を形成し、曲げ部１５０を介して光を入出力する光ファイバ側方入出力装置であって、
曲げ部１５０に断面１１ａが近接され、曲げ部１５０から漏洩する主光ファイバ１００の第１方向の光を捕捉し、曲げ部１５０から主光ファイバ１００の第２方向に光を入射する第１ファイバプローブ１１と、
曲げ部１５０に断面１２ａが近接され、曲げ部１５０から漏洩する主光ファイバ１００の第２方向の光を捕捉し、曲げ部１５０から主光ファイバ１００の第１方向に光を入射する第２ファイバプローブ１２と、
を備える。
【００２９】
光ファイバ側方入出力装置３０１は、主光ファイバ１００に曲げ部１５０を１つ形成し、それぞれのファイバプローブ（１１、１２）の断面（１１ａ、１２ａ）を異なる方向から曲げ部１５０に近接させている。このため、光ファイバ側方入出力装置３０１は、第１ファイバプローブ１１でＯＮＵ側へ光を入出力でき、第２ファイバプローブ１２でＯＬＴ側へ光を入出力できる。従って、光ファイバ側方入出力装置３０１は、位置Ｄ１を入出力端子１、位置Ｄ２を入出力端子２、位置Ｄ３を入出力端子３、位置Ｄ４を入出力端子４、とする光カプラを構成できる。
【００３０】
従って、光ファイバ側方入出力装置３０１を用いることで、新たな工事を必要とせずに、一時的に主光ファイバ１００上に光カプラを設置することができ、現状光カプラが入っていない回線でも無瞬断切替工事を行うことができる。また、回線新設の際にあらかじめ設置する必要もなく、コストを抑えることができる。
【００３１】
（実施形態２）
図９は、本実施形態の光ファイバ側方入出力装置３０２を説明する図である。光ファイバ側方入出力装置３０２は、図４の光ファイバ側方入出力装置３０１と比較してファイバプローブ（１１、１２）の配置位置が異なる。具体的には、光ファイバ側方入出力装置３０２は、主光ファイバ１００の曲げ部１５０において、第１ファイバプローブ１１の断面１１ａが第２ファイバプローブ１２の断面１２ａよりＯＮＵ側に配置される。また、光ファイバ側方入出力装置３０２は、断面（１１ａ、１２ａ）を介さずに、第１ファイバプローブ１１から第２ファイバプローブ１２へ、又は第２ファイバプローブ１２から第１ファイバプローブ１１への経路を提供する中継機２７をさらに備える。
【００３２】
図４の場合、ファイバプローブの配置によっては次のような課題が発生することがある。
（１）曲げ部を形成された光ファイバから出力される上り光、下り光の第一放射光束は、同一平面上で光軸が交差することとなる。
（２）主光ファイバの被覆等の反射によりファイバプローブ間で直接入出射する光が存在する。この光は非常に強い光であり、ファイバプローブに接続する高感度のフォトダイオードが飽和して通信できないおそれがある。
（３）一方のファイバプローブから主光ファイバへ入射した光が、曲げ部から他のファイバプローブで捕捉できない方向へ放射されてしまい、無駄になってしまうおそれがある。
【００３３】
光ファイバ側方入出力装置３０２は、ファイバプローブ（１１、１２）を図９のように配置することで、上記（１）及び（２）を回避することができる。また、ファイバプローブ（１１、１２）を図９のように配置すると、曲げ部１５０を介してファイバプローブ間で光の送受ができなくなるが、光ファイバ側方入出力装置３０２は中継機２７を介して入出力端子２と入出力端子４の通信を可能としている。このため、光ファイバ側方入出力装置３０２は、上記（３）を回避することができる。
【００３４】
なお、中継機２７は、内部における電子回路で出力端子２と入出力端子４との経路を形成する。
【００３５】
（実施形態３）
図５は、本実施形態の光ファイバ側方入出力装置３０３を説明する図である。光ファイバ側方入出力装置３０３は、第１方向（上り方向）及び第１方向と逆である第２方向（下り方向）に光を伝搬する主光ファイバ１００に第１曲げ部１５１及び第２曲げ部１５２を形成し、第１曲げ部１５１及び第２曲げ部１５２を介して光を入出力する光ファイバ側方入出力装置であって、
第１曲げ部１５１と第２曲げ部１５２との中心間距離が５０ｍｍより短く、
第１曲げ部１５１に断面１１ａが近接され、第１曲げ部１５１から漏洩する主光ファイバ１００の第１方向の光を捕捉し、第１曲げ部１５１から主光ファイバ１００の第２方向に光を入射する第１ファイバプローブ１１と、
第２曲げ部１５２に断面１２ａが近接され、第２曲げ部１５２から漏洩する主光ファイバ１００の第２方向の光を捕捉し、第２曲げ部１５２から主光ファイバ１００の第１方向に光を入射する第２ファイバプローブ１２と、
を備える。
【００３６】
光ファイバ側方入出力装置３０３は、主光ファイバ１００に曲げ部を２箇所形成して、ファイバプローブを２つ用いて曲げ部から通信光を入出力する。曲げ部１５１はＯＮＵへの光入出力を担い、曲げ部１５２はＯＬＴへの光入出力を担う。
【００３７】
図５を用いて本実施形態を詳細に説明する。主光ファイバ１００において、ＯＬＴ側とＯＮＵ側の２箇所に曲げ部（１５１、１５２）を形成してＵ字型とし、２箇所の曲げ部にそれぞれファイバプローブ（１１、１２）の断面（１１ａ、１２ａ）を突き当てる。曲げ部１５２においてＯＬＴへの信号光を入出力端子４としてのファイバプローブ１２を経由して入出力する。一方、曲げ部１５１においてＯＮＵへの信号光を入出力端子２としてのファイバプローブ１１を経由して入出力する。
【００３８】
従って、光ファイバ側方入出力装置３０３は、位置Ｄ１を入出力端子１、位置Ｄ２を入出力端子２、位置Ｄ３を入出力端子３、位置Ｄ４を入出力端子４、とする光カプラを構成できる。そして、光ファイバ側方入出力装置３０３は、ファイバプローブ間で直接に光が入出射されないためファイバプローブに接続された光検出器が飽和して通信が途絶することはない。
【００３９】
なお、図６のように入出力端子２と入出力端子４とを中継機２７で接続し、中継機２７を介して入出力端子２と入出力端子４との間の信号のやりとりも行うことができる。図６の形態では二か所の曲げ部間に必ずしも信号光が通過しなくともよいため、必要に応じて曲げ角度を大きくして（例えば９０度）漏洩光を多く得ることが可能になる。
【００４０】
なお、作業者は、通信経路を二重化するために主光ファイバ１００から副光ファイバを分岐させる箇所で光カプラとしての光ファイバ側方入出力装置を主光ファイバ１００に挿入する。このため、曲げ部（１５１、１５２）を形成する間隔は、光伝送路全体からすると微小である。具体的には、曲げ部（１５１、１５２）を形成する間隔は、光ファイバ側方入出力装置内に収まる間隔であり、５０ｍｍ程度である。
【００４１】
（実施形態４）
図７は、本実施形態の光ファイバ側方入出力装置３０４を説明する図である。光ファイバ側方入出力装置３０４は、主光ファイバ１００において、第１曲げ部１５１が第２曲げ部１５２よりＯＮＵ側に配置されることが図６の光ファイバ側方入出力装置３０３との違いである。
【００４２】
主光ファイバ１００において、ＯＮＵ側に曲げ部１５１を形成し、ファイバプローブ１１の断面１１ａを突き当て、ＯＬＴ側に曲げ部１５２を形成し、ファイバプローブ１２の断面１２ａを突き当てる。曲げ部１５２においてＯＬＴへの信号光を入出力端子４としてのファイバプローブ１２を経由して入出力する。一方、曲げ部１５１においてはＯＮＵへの信号光を入出力端子２としてのファイバプローブ１１を経由で入出力する。ファイバプローブ間は中継機２７で接続されている。
【００４３】
従って、光ファイバ側方入出力装置３０４は、位置Ｄ１を入出力端子１、位置Ｄ２を入出力端子２、位置Ｄ３を入出力端子３、位置Ｄ４を入出力端子４、とする光カプラを構成できる。そして、光ファイバ側方入出力装置３０４は、ファイバプローブ間で直接に光が入出射されないためファイバプローブに接続された光検出器が飽和して通信が途絶することはない。また、光ファイバ側方入出力装置３０４は、二か所の曲げ部間に必ずしも信号光が通過しなくともよいため、必要に応じて曲げ角度を大きくして（例えば９０度）漏洩光を多く得ることが可能になる。
【００４４】
（実施形態５）
図８は、本実施形態の光ファイバ側方入出力装置３０５を説明する図である。光ファイバ側方入出力装置３０５は、主光ファイバ１００を伝搬する光の方向に対して、第１曲げ部１５１の曲げ方向が第２曲げ部１５２の曲げ方向と逆であることが図６の光ファイバ側方入出力装置３０３との違いである。
【００４５】
本実施形態は実施形態１から４のバリエーションであり信号のやりとりは同様である。主光ファイバ１００は引き通しの直線である場合が多いため、実施形態１から４のような曲げ部形成では主光ファイバ１００がＵ字型となり、挟み込み部以外の部分に無用な曲げを加えることになる。
【００４６】
光ファイバ側方入出力装置３０５は、曲げ部の曲げ方向を互いに逆にすることで主光ファイバ１００をＳ字型に形成し、入出力端子１と入出力端子４の方向を主光ファイバ１００の施設方向と同じとしている。光ファイバ側方入出力装置３０５を用いることで曲げ部以外の主光ファイバ１００に無用な曲げを加えることはなく、さらに必要な余長が少なくて済む。
【００４７】
（他の実施形態）
その他、各光学系の配置や光部品の材質などについても、この発明の要旨を逸脱しない範囲で種々変形して実施可能である。要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００４８】
（効果）
本発明に係る光ファイバ側方入出力装置は、現用の通信線路に設置する光ファイバである。このため、現用の通信線路を切断せずに一時的な光カプラを後付けすることができる。本光ファイバ側方入出力装置は、ファイバプローブ間で通信光が直接到達することを防ぐとともに、効率良く通信を行うことができる。本光ファイバ側方入出力装置は、一時的に設置することで無瞬断切替が可能になることは言うに及ばず、線路無切断で、ユーザが使用中に通信光のモニタリングや心線対照光や試験光の入射などが可能となる。
【符号の説明】
【００４９】
１１：第１ファイバプローブ
１１ａ：断面
１２：第２ファイバプローブ
１２ａ：断面
２７：中継機
１００：主光ファイバ
１５０：曲げ部
１５１：第１曲げ部
１５２：第２曲げ部
３０１〜３０５：光ファイバ側方入出力装置
【図１】
0006388850.tif 000002
【図２】
0006388850.tif 000003
【図３】
0006388850.tif 000004
【図４】
0006388850.tif 000005
【図５】
0006388850.tif 000006
【図６】
0006388850.tif 000007
【図７】
0006388850.tif 000008
【図８】
0006388850.tif 000009
【図９】
0006388850.tif 000010